(57)【要約】【課題】寿命が長く加工工数や組立て工数が少ない安価な記録計を実現する。【解決手段】円筒型のプラテンと、記録信号の大きさに応じて移動する記録ヘッドと、前記プラテンに対向して配置され、このプラテンに巻きつけられた記録紙の表面を照射するように構成された記録計において、  前記プラテンに沿って配置された棒状の透明部材と、この透明部材の端部から光を照射する発光部材と、前記透明部材の長手方向に沿ってこの透明部材を包むように配置されたケースからなり、前記ケースは前記プラテンに対向する側の長手方向に開口部を有するとともに開口部以外のケースの内側部分を反射面とした。【選択図】      図１
2008101920.tif 000002
【特許請求の範囲】
【請求項１】
円筒型のプラテンと、記録信号の大きさに応じて移動する記録ヘッドと、前記プラテンに対向して配置され、このプラテンに巻きつけられた記録紙の表面を照射するように構成された記録計において、
前記プラテンに沿って配置された棒状の透明部材と、この透明部材の端部から光を照射する発光部材と、前記透明部材の長手方向に沿ってこの透明部材を包むように配置されたケースからなり、前記ケースは前記プラテンに対向する側の長手方向に開口部を有するとともに開口部以外のケースの内側部分を反射面としたことを特徴とする記録計。
【請求項２】
前記ケースの反射面は白色もしくは鏡面であることを特徴とする請求項１に記載の記録計。
【請求項３】
前記鏡面はめっきであることを特徴とする請求項２に記載の記録計。
【請求項４】
前記発光部材は白色ＬＥＤであることを特徴とする請求項１乃至３に記載の記録計。
【発明の詳細な説明】
【技術分野】
【０００１】
本発明は、器内照明を有する記録計に関し、照明器具の取り付け作業の容易化を図った記録計に関する。
【背景技術】
【０００２】
図２は従来の記録計における器内照明の一例を示す構成図である。図において、１１はヘッドに設けられた記録ペンであり、記録信号の大きさに応じてサーボ機構によりプラテン１２の軸方向に沿って移動するペンキャリッジに着脱可能に取り付けられている。図では３チャンネル分のペンが設けられている。
【０００３】
１６は各記録ペンに対応して設けられた透明部材からなるスケール板であり、表面には記録ペン１１に応じたスケール情報１７が刻印されている。１４は器内照明用の例えば冷陰極放電管よりなるランプであり、器内の上部にプラテン１２の軸方向に沿って設けられている。１３は冷陰極放電管１４を包むようにプラテンに沿って設けられ、スケール板に対向する側の長手方向に開口部を有するとともに開口部以外の内側部分に反射面を有するケースである。
【０００４】
２０はスケール板１６の裏側に塗布された反射部材で照射される光を乱反射させる。１９はスケール板１６に対応したスケール情報１７に対向するように記録ペン１１に取り付けられた鏡である。１０は反射板であり、ランプ１４の出力光の一部をスケール板１６の上部端面に集光する楕円反射部２１と一部を記録ペン１１の鏡１９に平行光として導く放物反射部２２が連続するように形成されている。この反射板１０の湾曲部分にはランプ１４が配置されるとともに、スケール板１６の上部端面も挿入されている。
【０００５】
１３はケースであり、ランプ１４，スケール板１６および反射板１０の両端が保持されてユニットとして一体化されている。そして、このケース１３は、図示しない記録計の内器フレームの前面部分に、上方または左右に回転可能にヒンジ止めされたり、着脱可能に取り付けられる。記録ヘッド１１を交換する場合には、このケース１３全体を回転させたり外して内器の前面を開放する。
【０００６】
このような構成において、反射板１０で反射されるランプ１４の出力光は、２方向に導かれる。すなわち、一方は楕円反射部２１で反射されてスケール板１６の上部端面に入射され、他方は放物反射部２２で平行光に変換されて記録ペン１１に取り付けられている鏡１９に入射される。そして、スケール板１６の上部端面に入射された光は下部端面からプラテン１２の記録部に照射され、記録ペン１１に取り付けられた鏡１９に入射された光はスケール板１６のスケール情報１７が記入された部分の裏側に設けられた反射部材２０で反射される。
【０００７】
図３（ａ，ｂ、ｃ）は他の従来例を示す要部構成図である。図において、図３（ａ）は正面図、図３（ｂ）は側面図、図３（ｃ）は図３（ｂ）のＡ部拡大断面図である。
これらの図において、１はケース２に固定された導光棒で、プラテン４の長手方向に沿って対向して配置されている。３はＬＥＤなどからなる発光部材でプラテン４の一端近傍に配置されている。５はプラテン２の表面に沿って移動する記録紙である。
【０００８】
上述の構成において、導光棒１は内部が空洞とされその空洞の内部にプラテン４に沿う形で帯状の反射層１ａが形成されている。そして、この反射層に対向する側に帯状の窓１ｂが形成されており、発光部材３の端部から導光棒１に入射した光は反射層１ａで反射され、拡散光となって帯状の窓１ｂから出射してプラテン４の表面を照射する。
【０００９】
なお、このような記録計の先行技術としては例えば下記の文献に示されたものがある。
【００１０】
【特許文献１】実開平５−１７５１７号公報
【特許文献２】実開平５−１９９１７号公報
【発明の開示】
【発明が解決しようとする課題】
【００１１】
ところで、図２に示す従来例においては、ランプ１４として冷陰極陰極放電管を用い、記録ペン１１に鏡を設けてスケール板１６に反射部材を用いて器内照明を行っている。
従ってランプ１４は寿命が短いという問題があり、構成も複雑でコスト高になるという問題がある。
【００１２】
また、図３に示す従来例においては、導光棒に入射した光が反射層1ａに反射して帯状の窓１ｂからプラテンに向かって出射するが、この反射層１ａと帯状窓１ｂとプラテン４の取付けの関係は決まっており、導光棒の位置を任意に固定することは出来ない。
【００１３】
そのため導光棒１の一部又は全長をＤ字状にカット(削除)して固定位置としている。
しかしながら、導光棒１に反射層を形成するのは加工業者が限定されるため高価格となりまた、Ｄ字状にカットするのも加工工数や組立て工数の点でも時間的にも価格的にも問題がある。
本発明は上述の問題点を解決するためになされたもので、寿命が長く加工工数や組立て工数が少なく安価な記録計を提供することを目的としている。
【課題を解決するための手段】
【００１４】
本発明の請求項１記載の記録計においては、
円筒型のプラテンと、記録信号の大きさに応じて移動する記録ヘッドと、前記プラテンに対向して配置され、このプラテンに巻きつけられた記録紙の表面を照射するように構成された記録計において、
前記プラテンに沿って配置された棒状の透明部材と、この透明部材の端部から光を照射する発光部材と、前記透明部材の長手方向に沿ってこの透明部材を包むように配置されたケースからなり、前記ケースは前記プラテンに対向する側の長手方向に開口部を有するとともに開口部以外のケースの内側部分を反射面としたことを特徴とする。
請求項２においては、請求項１に記載の記録計において、
前記ケースの反射面は白色もしくは鏡面であることを特徴とする。
【００１５】
請求項３においては、請求項２に記載の記録計において、
前記鏡面はめっきであることを特徴とする。
【００１６】
請求項４においては、請求項１乃至３に記載の記録計において、
前記発光部材は白色ＬＥＤであることを特徴とする。
【発明の効果】
【００１７】
以上説明したことから明らかなように本発明によれば、次のような効果がある。
請求項１に記載の発明によれば、
円筒型のプラテンと、記録信号の大きさに応じて移動する記録ヘッドと、前記プラテンに対向して配置され、このプラテンに巻きつけられた記録紙の表面を照射するように構成された記録計において、
前記プラテンに沿って配置された棒状の透明部材と、この透明部材の端部から光を照射する発光部材と、前記透明部材の長手方向に沿ってこの透明部材を包むように配置されたケースからなり、前記ケースは前記プラテンに対向する側の長手方向に開口部を有するとともに開口部以外のケースの内側部分を反射面としたので、透明部材の位置を気にすることなく固定することができ組立て工数を削減することができる。
【００１８】
また、透明部材として棒状に加工したガラス棒を使用することができるのでランプや板金を用いたものに比較して強度が強く安価である。
【００１９】
請求項２，３の発明によれば、
ケースの反射面を白色もしくは鏡面とし、鏡面はめっきとしたので安価に製作可能である。
請求項の４の発明によれば、
発光部材は白色ＬＥＤとしたので陰極放電管に比較して長寿命が期待できる。
【発明を実施するための最良の形態】
【００２０】
図１（ａ，ｂ、ｃ）は本発明の一実施例を示す要部構成図である。図において、図１（ａ）は正面図、図１（ｂ）は側面図、図１（ｃ）は図１（ｂ）のＡ部拡大断面図である。
これらの図において、６はケース７に固定された導光棒で、プラテン９の長手方向に沿って対向して配置されている。８はＬＥＤなどからなる発光部材で、プラテン９の一端近傍に配置されている。５はプラテン２の表面に沿って移動する記録紙である。
【００２１】
上述の構成において、透明棒６は例えば透明ガラスやプラスチックで形成されている。この透明棒６の一端からＬＥＤなどの発光部材を照射すると、透明棒で光が拡散され全周にわたって拡散光を発する。
【００２２】
ケース７はこの透明棒６を包むように形成されており、プラテン９に対向する側の長手方向は開口部となっている。このケース７は図１（ｃ）の拡大断面図に示すようにプラテン９に対向する側の断面が透明棒の外周に沿うようにＲ状に形成され、このＲ状の両端が水平および垂直方向に僅に延長されている。
【００２３】
そして、ケースの内側には白色塗料が塗られたり、メッキなどの手段により鏡面加工が施されて反射面となっている。
その結果、透明棒６から出射した拡散光は直接又はケースで反射してプラテン９を照射することとなる。
【００２４】
上述の構成によれば、透明棒１はプラテン９に対してどの位置で固定されてもよく、Ｄカットなどの加工が不要であり、単にガラスやプラスチックなどの丸棒を切断するだけでよく、組立ても簡単なので従来の記録計に比較して安価に製作することができる。
【００２５】
なお、以上の説明は、本発明の説明および例示を目的として特定の好適な実施例を示したに過ぎない。また、実施例では記録ヘッドに記録ペンを設けた例を示したがワイヤドットヘッドのようなドット記録ヘッドでもよい。
従って本発明は、上記実施例に限定されることなく、その本質から逸脱しない範囲で更に多くの変更、変形を含むものである。
【図面の簡単な説明】
【００２６】
【図１】本発明の一実施例を示す記録計の要部構成図である。
【図２】従来例を示す記録計の要部構成図である。
【図３】他の従来例を示す記録計の要部構成図である。
【符号の説明】
【００２７】
１      導光棒
２，７，１３    ケース
３，８  発光部材
４，９，１２  プラテン
５      記録紙
６      透明棒
１０    反射板
１１    記録ペン
１４    ランプ
１６    スケール板
１７    スケール情報
１９    鏡
２０    反射部材
２１    楕円反射部
２２    放射反射部
【図１】
2008101920.tif 000003
【図２】
2008101920.tif 000004
【図３】
2008101920.tif 000005